(57)【特許請求の範囲】
【請求項１】
少なくとも１つの媒体のための電動式の移送機構（４）と、媒体を貯蔵するための媒体貯蔵装置（３）と、媒体を分与するためのアプリケータ（５）と、移送機構（４）を調節するための制御ユニット（６）と、制御ユニット（６）および／または移送機構（４）に供給するための電気エネルギー蓄積装置（７）とを有し、一方で、移送機構（４）、媒体貯蔵装置（３）およびアプリケータ（５）が、第１構造ユニット（２）内に収容されており、他方で、制御ユニット（６）および電気エネルギー蓄積装置（７）が、第２構造ユニット（２０）内に収容されており、第１及び第２構造ユニット（２、２０）を嵌め合わせるための案内手段（２５）が設けられており、これが制御ユニット（６）および／またはエネルギー蓄積装置（７）に対して相対的に工具なしに結合および／または解放するための電気機械的インタフェースを有し、第１構造ユニット（２）の一部である移送機構（４）に、第２構造ユニット（２０）の一部である電気エネルギー蓄積装置（７）から、電気エネルギーを供給し、
一方の構造ユニット（２０）が一端で開口した受容空間（８）を備えており、この受容空間（８）内に他方の構造ユニット（２）の対応する差込区域（４）が導入可能であり、この差込区域（４）が媒体貯蔵装置（３）を有することを特徴とする調量装置。
【請求項２】
案内手段（２５）が両方の構造ユニット（２、２０）に相対応する直線案内異形部を有することを特徴とする、請求項１記載の調量装置。
【請求項３】
電気機械的インタフェースの電気接触面（１０）が受容空間（８）および差込区域（４）の領域内に設けられていることを特徴とする、請求項１記載の調量装置。
【請求項４】
受容空間（８）と差込区域（４）が、少なくとも断続的に、アプリケータ（５）への限定的空気供給用の空気通路（１７、２２）を形成することを特徴とする、請求項１記載の調量装置。
【請求項５】
アプリケータ（５）が休止位置と分与位置との間を移動可能に構造ユニット（２）で支承されていることを特徴とする、請求項１記載の調量装置。
【請求項６】
制御ユニット（６）がアプリケータ（５）の端位置を把握するためのセンサ手段を有し、アプリケータ（５）の分与位置において媒体流が開放されまたアプリケータ（５）の休止位置において媒体流が引き留められるように移送機構が制御ユニット（６）によって駆動可能であることを特徴とする、請求項１記載の調量装置。
【請求項７】
移動可能なアプリケータ（５）の位置に依存して開放位置または鎖錠位置に移行可能な係止手段（９、１５）が両方の構造ユニット（２、２０）の間に設けられていることを特徴とする、請求項１記載の調量装置。
【請求項８】
係止手段（９、１５）が機械的強制案内手段を有し、これらの強制案内手段が両方の構造ユニット（２、２０）をアプリケータ（５）の端位置において互いに鎖錠し、またアプリケータ（５）の少なくとも１つの中間位置において構造ユニット（２、２０）を開放して相互に分離させることを特徴とする、請求項１記載の調量装置。
【請求項９】
減菌のための特に抗菌性の作用手段がアプリケータ（５）の分与領域（２１）に付設されていることを特徴とする、請求項１記載の調量装置。
【発明の詳細な説明】
【技術分野】
【０００１】
本発明は、少なくとも１つの媒体用の電動式移送機構と、媒体を貯蔵するための媒体貯蔵装置と、媒体を分与するためのアプリケータと、移送機構を調節するための制御ユニットと、制御ユニットおよび／または移送機構に供給するための電気エネルギー蓄積装置とを有する調量装置に関する。
【背景技術】
【０００２】
このような調量装置は技術の現状からさまざまな形において公知である。それらは美容または製薬等の分野において粉末作用物質または液体作用物質を投与するのに利用される。特許文献１に述べられたような公知形式の調量装置では、吐き出されるべき媒体を吐出し過程に至るまで貯蔵する媒体貯蔵装置が設けられている。吐出し過程の間、媒体は電動式移送機構によって媒体貯蔵装置から移送され、アプリケータを通して調量装置の周囲に放出することができる。吐き出される媒体の厳密な調量を確保するために、移送機構を調節するための制御ユニットが設けられており、この制御ユニットが媒体の吐出しを制御できる。制御ユニットおよび移送機構を運転するために電気エネルギー蓄積装置が調量装置に設けられている。
【特許文献１】独国特許発明第２８５４８４１号明細書
【発明の開示】
【発明が解決しようとする課題】
【０００３】
本発明の課題は、特別経済的な製造と特別経済的な運転を可能とする調量装置を提供することである。
【課題を解決するための手段】
【０００４】
この課題は、一方で移送機構、媒体貯蔵装置およびアプリケータが、他方で制御ユニットおよび電気エネルギー蓄積装置が、それぞれ個別の構造ユニット内に収容されており、構造ユニットを嵌め合わせるための案内手段が設けられており、これらの案内手段が制御ユニットおよび／またはエネルギー蓄積装置に対して相対的に工具なしに結合および／または解放するための電気機械的インタフェースを有することによって解決される。移送機構、媒体貯蔵装置、アプリケータ等の媒体を案内するすべての構成要素を共通する構造ユニットに統合することによって、移送機構、媒体貯蔵装置、アプリケータ等の媒体を案内する構成要素の間に支出を要する連結および／または密封措置は省くことができる。制御ユニットとエネルギー蓄積装置を第２構造ユニットに統合することで電気接点の数と電気結線の線路長は短く抑えることができる。それとともに調量装置の一層単純確実安価な実施が可能である。案内手段は直線状または非直線状に実施しておくことができる。好ましくは案内手段は、勾配付きまたは勾配なしの直線ガイドまたは曲線ガイドを有する。案内手段と電気機械的インタフェースとによって構造ユニットの間の結合は特別簡単に実現できる。案内手段は構造ユニットを一緒にして機械的に鎖錠するとき操作者を補助する。それに対して電気機械的インタフェースは構造ユニットの間に所要の電気接触をもたらす。それゆえに利用者は構造ユニットを連結しなければならないだけであり、するとそれ以上の措置なしに機能可能状態の調量装置を直接得ることになる。
【０００５】
本発明の構成において案内手段は両方の構造ユニットに相対応する直線案内異形部を有する。直線案内異形部は構造ユニットの連結時に構造ユニット間の運動余地を直線的組付け運動に限定し、こうして構造ユニットが電気機械的インタフェースを介して正しく結合されるようにする。直線的組付け運動は構造ユニットの特別簡単で操作者に優しい連結または解放を可能とする。
【０００６】
本発明の他の構成において一方の構造ユニットは１正面で開口した受容空間を備えており、この受容空間内に他方の構造ユニットの対応する差込区域が導入可能である。これにより案内手段と、鎖錠手段と、電気機械的インタフェースの受感部分は受容空間内の保護された位置に収容することができる。対応する差込区域は単純で頑丈な幾何学形状に限定することができ、こうして利用者による取扱いの点で一層確実である。
【０００７】
本発明の他の構成において電気機械的インタフェースの電気接触面は受容空間および差込区域の領域内に設けられている。接触面は、対応する接触舌片と作用結合されて、差込区域を受容空間に差込み後に構造ユニットの間で電気信号の伝送を許容し、このために特別な措置を利用者が講じる必要はない。
【０００８】
本発明の他の構成において受容空間と差込区域は、少なくとも断続的に、アプリケータへの限定的空気供給用の空気通路を形成する。空気通路は限定的空気流を用意するのに役立ち、この空気流は周囲から取り込まれ、調量装置において媒体吐出しの要求条件に応じて層流または乱流としてアプリケータ内にまで誘導される。空気流は特に利用者の吸息運動によって引き起こされ、利用者は吸い口として実施されるアプリケータを唇でしっかりくわえる。吸息運動時に発生する負圧は、空気が空気案内機構に沿って吸い口を通して特に利用者の咽頭腔、気管支または肺に流入することを引き起こす。限定的空気流で、吐き出されるべき媒体の特別有利な調量を行うことができる。
【０００９】
本発明の他の構成においてアプリケータは休止位置と分与位置との間を移動可能に構造ユニットで支承されている。休止位置のときアプリケータは閉鎖機構によって微生物または汚れ粒子による汚染から保護することができる。アプリケータが分与位置に移動することによってアプリケータ穴が開放され、媒体分与を行うことができる。可動支承によって利用者はアプリケータの快適で有利な向きを選択することができ、それとともに一層確実な媒体吐出しを実行できる。
【００１０】
本発明の他の構成において制御ユニットはアプリケータの端位置を把握するためのセンサ手段を有し、アプリケータの分与位置において媒体流が開放されまたアプリケータの休止位置において媒体流が引き留められるように移送機構は制御ユニットによって駆動可能である。アプリケータの位置決めに関するセンサ信号を制御ユニットに転送するセンサ手段によって、アプリケータが休止位置にあるときに媒体吐出しが起きることは防止することができる。それとともに、特に閉鎖機構が存在するとき、調量装置の破損またはアプリケータ内で媒体中に含まれた作用物質の蓄積等の望ましくない随伴現象を生じ得るような誤調量は防止することができる。
【００１１】
本発明の他の構成において、移動可能なアプリケータの位置に依存して開放位置または鎖錠位置に移行可能な係止手段が両方の構造ユニットの間に設けられている。係止手段は構造ユニットの意図しない解錠を防止し、それとともに調量装置の支障のない機能に寄与する。構造ユニットの解錠を引き起こすには利用者はアプリケータを、大きな鎖錠領域を含むこともできる鎖錠位置から開放位置に移行させねばならない。調量装置の有利な実施形態ではアプリケータ用に付勢手段が設けられており、この付勢手段は構造ユニットの解錠のために操作力の行使を前提とする。
【００１２】
本発明の他の構成において係止手段が機械的強制案内手段を有し、これらの強制案内手段が両方の構造ユニットをアプリケータの端位置において互いに鎖錠し、またアプリケータの少なくとも１つの中間位置において構造ユニットを開放して相互に分離させる。それとともに係止手段の簡単な設計造形を実現することができ、そこでは操作の単純さも保証されている。強制案内手段は主にアプリケータの正確に限定された中間位置においてのみ構造ユニットの分離を許容し、アプリケータが端位置も含む別のあらゆる位置にあるときには構造ユニットの分離が可能でない。
【００１３】
本発明の他の構成において、減菌のための特に抗菌性の作用手段がアプリケータの分与領域に付設されている。作用手段はアプリケータの媒体誘導面の汚染およびファウリングを防止するために設けられており、調量装置の利用者にとってそれに伴う危険を低減するのに役立つ。作用手段は特に抗菌性に実施されており、アプリケータの媒体誘導面の表面または内部に特に銅または銀含有物質を塗布または埋め込むことによって実現することができる。選択的に作用手段は、アプリケータ流出口の残留滴を吸収しかつこうして汚染を防止または少なくとも減らすことのできるスポンジ配置によって形成しおくこともできる。
【００１４】
他の利点および特徴は特許請求の範囲と、図面に示す本発明の好ましい実施例についての以下の説明とから明らかとなる。
【発明を実施するための形態】
【００１５】
図１による調量装置１は超音波噴霧器２として実施される第１構造ユニットを有し、この構造ユニットは本体ケース２０を有する第２構造ユニットに差し込まれている。
【００１６】
図２に示す超音波噴霧器２が差込区域４を備えており、この差込区域は実質一定した横断面を有する。この横断面に直線状案内レール２５が取付けられており、この案内レールは本体ケース２０の対応する案内レール２５との作用結合用に設けられている。差込区域４は図示しない電動式移送機構と詳しくは図示しない媒体貯蔵装置３とを含み、吸い口５として実施されるアプリケータと結合されている。移送機構は特に電気機械的または電子式媒体ポンプとして設けておくことができ、その後段に移送媒体の超音波噴霧部を設けておくことができる。媒体貯蔵装置３は特に無圧容器、時々圧力負荷される容器、または持続的内部圧力を有する圧力容器として実施しておくことができ、吐き出されるべき媒体が充填されている。媒体貯蔵装置３用材料として考慮の対象になるのは特にガラス、プラスチックまたは金属である。媒体中に少なくとも時々圧力を発生するために媒体貯蔵装置３内に特に機械的または空気圧式圧力発生手段を設けておくことができる。機械的圧力発生手段として考慮の対象となるのは特に、外力によって変形可能な媒体貯蔵装置区域または可動ピストンであり、これらは機械的または電気機械的操作手段によって操作力を負荷される。
【００１７】
吸い口５はピボット２８の周りを揺動可能に超音波噴霧器２に取付けられており、図示しない付勢手段によって復帰力を負荷されている。吸い口５が吸い口穴１２を有し、吐き出されるべき媒体と空気とからなる混合物はこの吸い口穴を通して利用者によって吸引できる。吸い口５は吸い口壁２１として実施される内向きの媒体誘導面に抗菌被覆を有し、この被覆は調量装置１を長期間使用しないときでも微生物の堆積または別の汚染を防止する。吸い口５の横に閂溝９が設けられており、これらの閂溝は本体ケース２０内に設けられる閂ピン１５用の連結ガイドとして利用することができる。閂溝９によって、吸い口５と本体ケース２０との間の形状噛合いと可動性が同時に可能となる。図１の図示によれば調量装置１は媒体吐出し可能状態にあり、このため吸い口５は操作力を操作域３０に加えることによって休止位置から外され、ピボット２８を通る回転軸線の周りを機能位置へと揺動されている。
【００１８】
超音波噴霧器２の胴状に実施される差込区域４の側面に平らな軟質プリント基板２６が設けられており、このプリント基板は電気接触面１０を有し、移送機構および／または超音波噴霧器と接続されている。プリント基板２６は固定ピン２７で超音波噴霧器２の表面に固定されている。
【００１９】
図３から読み取ることができるように、案内レール２５は本体ケース２０の受容領域８内に設けられ、超音波噴霧器２を案内するのに役立つ。超音波噴霧器２の対応する電気接触面に接触するためのばね付勢電気接触舌片等の電気機械的インタフェースの詳しくは図示しない他の構成要素も、やはり受容領域８内に設けられている。案内レール２５は受容空間８内への差込区域４の簡単な組付けを可能とし、差込区域４を形状嵌合い式に係止するための係止鼻端を有する図示しない締付機構が設けられている。これにより電気機械的インタフェースを介して機械的保持力および／または操作力も電気信号および／または電子信号も伝達／伝送可能である。電気信号は調量装置を調節しまた測定値または操作値を制御ユニットに帰還するために設けられている。
【００２０】
さらに、電子制御装置６として実施される詳しくは図示しない制御ユニットと、アキュムレータ７として実施されるやはり詳しくは図示しないエネルギー蓄積装置が本体ケース２０内に設けられている。電子制御装置６は電動式移送機構の駆動用に設けられており、操作機構によって作動させることができる。操作機構に含まれるのは、超音波噴霧器２を本体ケース２０に差し込んだ位置のときそれを鎖錠し解錠するスライドスイッチ２４と、吐出し過程の調量増減用に設けられた複数の押ボタンスイッチ２３である。さらに、吸い口５の端位置を把握するための図示しないセンサ手段が吸い口５に設けられており、これらのセンサ手段はやはり電気信号を電子制御装置６に送ることができる。
【００２１】
本体ケース２０に設けられた空気入口２２は通路の態様で本体ケース２０内に通され、図１において超音波噴霧器２と作用結合されている。空気入口２２から流入する空気流は差込領域４と受容領域８との間を案内され、電気機械的インタフェースを介して吸い口５内に誘導される。空気流は特に利用者の吸息運動によって引き起こされ、利用者は吸い口５を唇でしっかりくわえ、次に吸息する。吸息運動時に発生する負圧は、空気が空気入口２２から本体ケース２０内を吸い口５へと流れ、そこから特に利用者の咽喉腔、気管支または肺に流入することを引き起こす。
【００２２】
構造ユニット間の密封用に本体ケース２０に図３に示すゴム形材１６として実施される周設密封装置が設けられており、この密封装置は吸い口５への望ましくない空気流入を防止する。それとともに空気流は空気入口２２、受容空間８および差込区域４の造形によって媒体吐出しの必要に合わせて乱流または層流で吸い口５に流入することができる。
【００２３】
吸い口５の吸い口穴１２用閉鎖機構が本体ケース２０に設けられている。吸い口５は調量装置１の利用者とのインタフェースとして役立ち、吐き出されるべき媒体用の媒体誘導面２１を有する。吐き出されるべき媒体は特に活性作用物質とすることができるので、これらの作用物質が媒体誘導面に沈殿することを考慮に入れねばならない。調量装置１の周囲からの菌類と合わせた活性作用物質の沈殿のゆえに媒体誘導面１２の汚染は排除できない。媒体誘導面１２が周囲に曝されている時間を極力短く抑えて汚染のリスクを下げるために、吸い口５の吸い口穴１２用閉鎖機構１１が設けられている。閉鎖機構１１が媒体吐出し終了直後に吸い口穴１２を閉鎖し、有限な特に危険のない数の菌類が媒体誘導面１２に作用できるにすぎない。
【００２４】
図１〜図３に示す実施例による調量装置１を利用するため第１ステップでは超音波噴霧器２が差込区域４で本体ケース２０の受容空間８に差し込まれる。その際、差込区域４は案内レール２５によって直線的に案内される。差込区域４の差込み過程中に吸い口５が本体ケース２０に設けられた案内ピン１５に突接するや、吸い口は図２に示す位置に揺動して受容空間８内への完全差込みを可能としなければならない。その際、案内ピン１５は吸い口５の閂溝９に滑り込み、両方の構造ユニットの間に形状嵌合式結合を実現する。超音波噴霧器２が正しく本体ケース２０の受容空間８に差し込まれている限り、スライドスイッチ２４によって差込区域４と本体ケース２０との間で鎖錠を行うことができる。スライドスイッチは差込区域４を鎖錠し、同時に調量装置の電気／電子機能をオンにし、こうして調量装置は運転することができる。これにより安全機能が実現されており、調量装置１の運転は超音波噴霧器２が正しく鎖錠されている場合にのみ可能である。スライドスイッチ２４が解錠位置に移行すると調量装置、従って超音波噴霧器２が機能停止し、超音波噴霧器を本体ケース２０から取り出すことが可能になる。
【００２５】
操作力のないとき吸い口５がばね要素１９によって揺動され、吸い口穴１２は周囲からの汚染に備えて蓋板１１によって閉鎖される。この吸い口位置は調量装置の休止位置に相当する。この休止位置のとき図示しないセンサ手段が位置信号を電子制御装置６に提供し、媒体吐出しは行うことができない。センサ手段は、相応する切換信号を電子制御装置６または別の種類の制御ユニットに転送するスイッチとして実施しておくことができる。
【００２６】
吸い口５を休止位置から揺動させることによって吸い口穴１２は開放される。吸い口５に閂溝９として実施される連結ガイドと案内ピン１５との協動によって吸い口５用揺動範囲は限定される。閂溝９によって吸い口５の少なくともほぼ全揺動範囲にわたって閂溝９と案内ピンとの形状嵌合式鎖錠が保証されている。
【００２７】
次に利用者は押ボタンスイッチ２３の１つを操作することによって調量装置を作動させることができ、また必要に応じて押ボタンスイッチ２３をさらに操作することによって、行うべき媒体調量に対して、特に吐き出されるべき媒体量の歩進的増加または低減によって影響を及ぼすことができる。次に利用者は吸い口５を唇でしっかりくわえ、吸息運動によって空気流を調量装置の空気入口２２および後段の空気通路から吸い口５内にまで吸引することができる。発生する空気流によって測定機構は媒体調量を実行するため制御信号を電子制御装置６に送るよう促される。次に電子制御装置６から作動信号は接触舌片および接触面１０を介して超音波噴霧器２に伝送され、そこからプリント基板２６を介して移送機構および／または超音波室に転送される。移送機構は作動信号を受けて液体容器３から媒体量を移送する。図示しない超音波機構によって媒体は細かく霧化され、空気流と混ぜられる。こうして利用者の吸息運動の間、吸い口５を流通する空気流中で液体容器３から媒体が輸送されることになる。
【００２８】
こうして媒体は噴霧の種類および噴霧から帰結する液滴の寸法に応じて利用者の吸息路内にかなり深く吸い込むことができる。吸息過程の終了後、吸い口５は再び休止位置に戻すことができ、蓋板１１によって次の媒体吐出しまで閉鎖される。
【００２９】
超音波噴霧器２を本体ケース２０から外して交換するために吸い口５は休止位置から図１、図２に示す位置に揺動され、次に閂溝９と案内ピン１５との間の形状嵌合いを解消後に本体ケースから取り外すことができる。超音波噴霧器２の取出し後、受容空間８内のばね付勢接触舌片と接触面１０との間の電気接触も自動的に解消される。
【図面の簡単な説明】
【００３０】
【図１】２つの構造ユニットからなる調量装置を等角図で示す。
【図２】超音波噴霧器を等角図で示す。
【図３】本体ケースを等角図で示す。
【符号の説明】
【００３１】
１  調量装置
２  超音波噴霧器
３  媒体貯蔵装置
４  差込区域
５  吸い口
６  電子制御装置
７  アキュムレータ
８  受容空間
９  閂溝
１０  接触面
１１  閉鎖機構
１２  吸い口穴
１５  閂ピン
１６  ゴム形材
１９  ばね要素
２０  本体ケース
２１  吸い口壁
２２  空気入口
２３  押ボタンスイッチ
２４  スライドスイッチ
２５  案内レール
２６  プリント基板
２７  固定ピン
２８  ピボット
３０  操作域
【図１】
0004625339.tif 000002
【図２】
0004625339.tif 000003
【図３】
0004625339.tif 000004